(57)【要約】  冷媒配管を介して室内機に接続される室外機であって、筐体と、筐体内に収容された圧縮機と、筐体内の上部に位置し、圧縮機の上側に設けられたバルブ取付板と、バルブ取付板に設けられ、冷媒配管が接続されるバルブと、筐体の外部から引き込まれた第１の配線が接続され、筐体内に収容された端子台と、を備え、バルブ取付板には、バルブが設けられている上側と制御装置が設けられている下側とを連通し、端子台が設けられた取付部が形成されているものである。
2016132456.tif 000002
【特許請求の範囲】
【請求項１】
冷媒配管を介して室内機に接続される室外機であって、
筐体と、
前記筐体内に収容された圧縮機と、
前記筐体内の上部に位置し、前記圧縮機の上側に設けられたバルブ取付板と、
前記バルブ取付板に設けられ、前記冷媒配管が接続されるバルブと、
前記筐体の外部から引き込まれた第１の配線が接続され、前記筐体内に収容された端子台と、
を備え、
前記バルブ取付板には、
前記バルブが設けられている上側と前記制御装置が設けられている下側とを連通し、前記端子台が設けられた取付部が形成されている
室外機。
【請求項２】
前記筐体内に収容された室外熱交換器と、
前記バルブ取付板の下側に配置され、前記圧縮機の回転数を制御する制御装置が設けられた電気品箱と、
前記筐体内に収容され、前記圧縮機及び前記電気品箱が設けられる側と前記室外熱交換器が設けられる側とを区画する仕切板とをさらに備え、
前記仕切板には、
前記電気品箱が固定され、
前記端子台は、
前記室内機側に接続される前記第１の配線と、前記制御装置側に接続される第２の配線とが接続されている
請求項１に記載の室外機。
【請求項３】
前記バルブ取付板は、
その一端側が前記仕切板に固定されている
請求項２に記載の室外機。
【請求項４】
前記筐体は、
前記バルブ及び前記端子台の上側に配置された天面パネルと、
前記仕切板を境にして前記圧縮機が設けられている側に配置され、上端部に前記天面パネルが取り付けられた周面パネルとを含み、
前記周面パネルは、
前記圧縮機の背面側に位置し、
前記バルブ取付板の上側に形成され、前記筐体内の前記冷媒配管を前記筐体外に引き出す切欠部を含む
請求項２又は３に記載の室外機。
【請求項５】
前記バルブ取付板は、
前記取付部の形成面よりも、前記バルブの取付面の方が低くなるように形成された段差部を含む
請求項１〜４のいずれか一項に記載の室外機。
【請求項６】
前記取付部は、
前記バルブが設けられている上側と前記制御装置が設けられている下側とを連通する開口部と、
一端側が前記開口部の周縁に接続され、一端側から他端側にかけて下側に傾斜し、前記端子台が設けられている端子台支持部とを含む
請求項１〜５のいずれか一項に記載の室外機。
【請求項７】
前記バルブ取付板上に設けられ、前記第１の配線を前記バルブ取付板上に固定する固定部材をさらに備え、
前記端子台支持部は、
前記開口部の周縁のうち前記バルブ側の周縁に接続され、
前記固定部材は、
前記開口部の周縁と前記端子台支持部との接続部分と、前記バルブとの間に配置されている
請求項６に記載の室外機。
【発明の詳細な説明】
【技術分野】
【０００１】
本発明は、冷凍サイクル装置の室外機に関するものである。
【背景技術】
【０００２】
従来、空気調和装置などの冷凍サイクル装置の室外機において、筐体内部には、たとえば圧縮機、熱交換器及び送風機などが収納されている。また、空気調和装置の室外機は、熱交換器及び送風機などが収容された室内機に冷媒配管を介して接続されている。そして、空気調和装置は、送風機が駆動すると熱交換器に外気が供給され、また、圧縮機が駆動すると冷媒が室内機と室外機との間を循環する。【０００３】
従来の空気調和装置の室外機には、圧縮機の上部に、室内機側から引き回された冷媒配管が接続されるバルブが設けられているものが提案されている（たとえば、特許文献１参照）。特許文献１に記載の空気講和装置の室外機は、室外機筐体の底面を構成する底面パネルと、底面パネルに載置された圧縮機と、底面パネル上に配置され、室外機筐体の側面を構成する周面パネルと、周面パネルの上端に配置され、室外機筐体の天面を構成する天面パネルとを備えている。【０００４】
そして、特許文献１に記載の空気調和装置の室外機は、天面パネルを取り外すことでバルブを露出することができ、室外機筐体の上方からバルブと冷媒配管の接続などの作業を実施することができるようになっている。
【先行技術文献】
【特許文献】
【０００５】
【特許文献１】特開平１０−２５３０９９号公報
【発明の概要】
【発明が解決しようとする課題】
【０００６】
空気調和装置の室外機は、圧縮機等を制御する制御装置が搭載された電気品箱が搭載されている。また、空気調和装置の室外機には、たとえば、配線同士の電気的な接続をするための端子台が設けられているものがある。なお、端子台は、室内機側に接続されている配線と、室外機の制御装置に接続される配線とが接続され、室外機と室内機との通信を実現している。【０００７】
ここで、空気調和装置の室外機は、一般的には、屋外に設置される。たとえば、マンションに室外機を設置する場合には、室外機はベランダに設置されることになる。戸建ての家屋では、庭などといったように室外機の設置スペースを確保しやすいが、マンションのベランダでは、戸建ての家屋などと比較すると狭いことが多く、設置スペースに制限が生じやすい。このように、屋内に設置される室内機に限らず、屋外に設置される室外機においても、サイズを小さくしたいという要望がある。【０００８】
しかし、このような要望のもとに室外機のサイズを小さくすると、その分、室外機内に端子台などを設置するスペースを確保しにくくなるという課題がある。【０００９】
本発明は、以上のような課題を解決するためになされたもので、筐体内の限られた空間を有効活用することができる室外機を提供することを目的としている。
【課題を解決するための手段】
【００１０】
本発明に係る室外機は、冷媒配管を介して室内機に接続される室外機であって、筐体と、筐体内に収容された圧縮機と、筐体内の上部に位置し、圧縮機の上側に設けられたバルブ取付板と、バルブ取付板に設けられ、冷媒配管が接続されるバルブと、筐体の外部から引き込まれた第１の配線が接続され、筐体内に収容された端子台と、を備え、バルブ取付板には、バルブが設けられている上側と制御装置が設けられている下側とを連通し、端子台が設けられた取付部が形成されているものである。
【発明の効果】
【００１１】
本発明に係る室外機によれば、上記構成を備えているので、筐体内の限られた空間を有効活用することができる。
【図面の簡単な説明】
【００１２】
【図１Ａ】本発明の実施の形態１に係る室外機を備えた冷凍サイクル装置の模式図である。
【図１Ｂ】本発明の実施の形態１に係る室外機の正面斜視図である。
【図１Ｃ】本発明の実施の形態１に係る室外機の背面斜視図である。
【図１Ｄ】本発明の実施の形態１に係る室外機の内部構造などを室外機の側面側から見た図である。
【図１Ｅ】本発明の実施の形態１に係る室外機の背面図である。
【図１Ｆ】本発明の実施の形態１に係る室外機を分解した状態の斜視図である。
【図１Ｇ】本発明の実施の形態１に係る室外機のバルブ取付板及びその周辺の斜視図である。
【図１Ｈ】本発明の実施の形態１に係る室外機の天面パネルを外した状態で、室外機を上側から見た図である。
【図１Ｉ】本発明の実施の形態１に係る室外機の前面パネル、第１の側面パネル、第２の側面パネル及び天面パネルを外した状態の正面図である。
【図１Ｊ】本発明の実施の形態１に係る室外機のバルブ取付板の斜視図である。
【図１Ｋ】本発明の実施の形態１に係る室外機のバルブ取付板の説明図である。
【図１Ｌ】本発明の実施の形態１に係る室外機の第２の側面パネルの斜視図である。
【図２Ａ】本発明の実施の形態２に係る室外機の天面パネルを外した状態で、室外機を上側から見た図である。
【図２Ｂ】本発明の実施の形態２に係る室外機の内部構造などを室外機の側面側から見た図である。
【図２Ｃ】本発明の実施の形態２に係る室外機を分解した状態の斜視図である。
【図２Ｄ】本発明の実施の形態２に係る室外機のバルブ取付板及びその周辺の正面斜視図である。
【図２Ｅ】本発明の実施の形態２に係る室外機のバルブ取付板及びその周辺の背面斜視図である。
【図２Ｆ】本発明の実施の形態２に係る室外機のバルブ取付板の斜視図である。
【図２Ｇ】本発明の実施の形態２に係る室外機のバルブ取付板の説明図である。
【発明を実施するための形態】
【００１３】
以下、発明の実態に係る室外機１００について、図面などを参照しながら説明する。ここで、図１を含め、以下の図面において、同一の符号を付したものは、同一、またはこれに相当するものであり、以下に記載する実施の形態において共通である。
【００１４】
実施の形態１．
図１Ａは、本実施の形態１に係る室外機１００を備えた空気調和装置２００の模式図である。図１Ａ（ａ）は、空気調和装置２００の冷媒回路構成の一例を示し、図１Ａ（ｂ）では、室外機１００と室内機１５０とが冷媒配管Ｐで接続されている様子を示している。なお、本実施の形態１では、冷凍サイクル装置が空気調和装置２００である場合の例を説明する。
【００１５】
［空気調和装置２００について］
空気調和装置２００は、室内機１５０と室外機１００とを有し、これらが冷媒配管Ｐで接続されて構成されている。室内機１５０は、冷房運転時に蒸発器として機能し、暖房運転時に凝縮器として機能する室内熱交換器１５１などを有している。そして、室外機１００で生成された冷熱あるいは温熱は、冷媒配管Ｐを介して室内機１５０に配送されるようになっている。
【００１６】
室外機１００は、たとえばビル、マンション、戸建て家屋などの外に配置され、冷媒配管Ｐを介して室内機１５０に冷熱又は温熱を供給するものである。室外機１００には、冷媒を圧縮する圧縮機４、流路を切り替える四方弁８、冷媒を減圧させる絞り装置９、空気と冷媒とを熱交換する室外熱交換器２、及び、室外熱交換器２に空気を供給する送風機３などが搭載されている。
室内機１５０は、たとえば室内などのように空調対象空間に冷房用空気、又は暖房用空気を供給できる位置に配置され、空調対象空間に冷房用空気、又は暖房用空気を供給するものである。室内機１５０は、空気と冷媒とを熱交換する室内熱交換器１５１、及び室内熱交換器１５１に空気を供給する送風機１５２が搭載されている。
【００１７】
ここで、室内熱交換器１５１、四方弁８及び絞り装置９について説明する。室内熱交換器１５１は、送風機１５２によって室内機１５０に取り込まれる室内空気と冷媒との間で熱交換を行わせ、暖房運転時に冷媒を凝縮液化させ、冷房運転時に冷媒を蒸発ガス化させるものである。四方弁８は、暖房運転時における冷媒の流れと、冷房運転及び除霜運転時における冷媒の流れを切り替えるものである。この四方弁８は、暖房運転時において、圧縮機４の吐出側と室内熱交換器１５１を接続するとともに、圧縮機４の吸引側と室外熱交換器２を接続する。また、冷房運転及び除霜運転時において、圧縮機４の吐出側と室外熱交換器２を接続するとともに、圧縮機４の吸引側と室内熱交換器１５１を接続する。絞り装置９は、冷媒回路を流通する冷媒を減圧して膨張させるものである。絞り装置９は、一方が室外熱交換器２に接続され、他方が室内熱交換器１５１に接続されている。この絞り装置９は、開度が可変に制御可能なもの、たとえば電子式膨張弁などで構成するとよい。なお、その他の構成（圧縮機４など）については、後で説明する。
【００１８】
次に、図１Ａ（ａ）を参照しながら、同図で示される冷媒回路の冷凍サイクル動作について説明する。ここでは、暖房運転についての冷媒の流れを説明する。暖房運転開始時には、四方弁８は、図１Ａ（ａ）に示すように流路が切り替えられる。圧縮機４によって圧縮され吐出された気体冷媒は、四方弁８を経由して、室内熱交換器１５１に流入する。この室内熱交換器１５１に流入した気体冷媒は、送風機１５２から供給される室内空気と熱交換を実施して凝縮し、室内熱交換器１５１から流出する。この室内熱交換器１５１から流出した冷媒は、絞り装置９に流入し、この絞り装置９によって膨張され減圧される。減圧された冷媒は、室外熱交換器２に流入し、送風機３から供給される室外空気と熱交換が実施されて気化し、室外熱交換器２から流出する。この室外熱交換器２から流出した気体冷媒は、四方弁８を介して圧縮機４に吸引される。
【００１９】
［室外機１００の外郭について］
図１Ｂは、本実施の形態１に係る室外機１００の正面斜視図である。図１Ｃは、本実施の形態１に係る室外機１００の背面斜視図である。図１Ｄは、本実施の形態１に係る室外機１００の内部構造などを室外機の側面側から見た図である。図１Ｅは、本実施の形態１に係る室外機１００の背面図である。図１Ｆは、本実施の形態１に係る室外機１００を分解した状態の斜視図である。
室外機１００は、冷房運転時に凝縮器として機能し、暖房運転時に蒸発器として機能する室外熱交換器２などを有しているものである。以下の説明では、前面パネル１Ｂを室外機の前面（正面）と規定し、正面に向かって第１の側面パネル１ＣＣが配置されている側を左側と規定し、正面に向かって第２の側面パネル１Ｃが配置されている側を右側と規定している。
【００２０】
室外機１００の筐体は、室外機１００の上面を構成する天面パネル１Ａと、室外機１００の前面を構成する前面パネル１Ｂと、室外機１００の左側面を構成する第１の側面パネル１ＣＣと、室外機１００の右側面を構成する第２の側面パネル１Ｃと、前面パネル１Ｂに設けられ、室外機１００の前面の一部を構成するファングリル１Ｂ２と、室外機１００の底面を構成する底面パネル１Ｅとを含むものである。前面パネル１Ｂ、第１の側面パネル１ＣＣ及び第２の側面パネル１Ｃは、底面パネル１Ｅの周縁部１Ｅ１上に配置され、底面パネル１Ｅに立設するものである。ここで、第２の側面パネル１Ｃが周面パネルに対応する構成である。
【００２１】
（天面パネル１Ａ）
天面パネル１Ａは、室外機１００の上面を構成するものである。天面パネル１Ａは、室外熱交換器２の上部を覆うように、周面パネルの上端部に設けられたものである。天面パネル１Ａは、前側端部及び左側端部が、前面パネル１Ｂ及び第１の側面パネル１ＣＣに接触して支持されて設けられ、右側端部が第２の側面パネル１Ｃに接触して支持されて設けられている。天面パネル１Ａは、たとえば金属板などから構成される。
【００２２】
（前面パネル１Ｂ及び第１の側面パネル１ＣＣ）
前面パネル１Ｂは、室外機１００の前面の一部を構成するものである。前面パネル１Ｂは、左側の側端部に第１の側面パネル１ＣＣが設けられ、右側の側端部に第２の側面パネル１Ｃが設けられている。なお、本実施の形態１において、第１の側面パネル１ＣＣと前面パネル１Ｂとは連結して一体的に構成されている。
前面パネル１Ｂは、下端部が底面パネル１Ｅの周縁部１Ｅ１上に設けられており、また、上端部に天面パネル１Ａが設けられている。また、前面パネル１Ｂのうち前面構成部分の右側端部は、第２の側面パネル１Ｃの前側の側端部に沿うように設けられている。さらに、前面パネル１Ｂには、たとえば外気吸込口となる円形の開口部１Ｂ１が形成されている。なお、ファングリル１Ｂ２は、開口部１Ｂ１の形成位置に対向するように設けられている。前面パネル１Ｂは、たとえば樹脂などで構成される。
【００２３】
第１の側面パネル１ＣＣは、底面パネル１Ｅの周縁部１Ｅ１に設けられている。そして、第１の側面パネル１ＣＣは、底面パネル１Ｅの一方の短辺に対応する部分に設けられている。第２の側面パネル１Ｃは、第１の側面パネル１ＣＣの対向位置に配置されている。第１の側面パネル１ＣＣの前側の側面部は、カバー１Ｄの側端部に沿うように設けられている。第１の側面パネル１ＣＣには、室外熱交換器２に空気が供給されるように複数の開口部が形成されている。
【００２４】
（第２の側面パネル１Ｃ）
第２の側面パネル１Ｃは、室外機１００の後面の一部及び右側面を構成するものである。この第２の側面パネル１Ｃは、水平断面形状が略Ｌ字であって底面パネル１Ｅに鉛直に立設され、圧縮機４の側方及び後側に配置されているものである。すなわち、第２の側面パネル１Ｃは、圧縮機４の側方側に位置し、第１の側面パネル１ＣＣ及び仕切板５に平行な側面部１Ｃ１と、圧縮機４の背面側に位置し、前面パネル１Ｂに平行な背面部１Ｃ２とを含む（図１Ｌ参照）。第２の側面パネル１Ｃは、前側端部がカバー１Ｄの側端部に沿うように設けられ、上端部が天面パネル１Ａと接触して設けられ、下端部が底面パネル１Ｅと接触して設けられている。第２の側面パネル１Ｃは、たとえばＡＢＳ樹脂などで構成される。
【００２５】
（ファングリル１Ｂ２）
ファングリル１Ｂ２は、室外機１００の前面の一部を構成し、ユーザーなどが、送風機３でケガをすることなどを防止するのに利用されるものである。このファングリル１Ｂ２は、たとえば縦桟と横桟からなる格子状部材である。
【００２６】
（底面パネル１Ｅ）
底面パネル１Ｅは、室外機１００の底面の一部を構成するものである。底面パネル１Ｅは、圧縮機４及び室外熱交換器２などの下側に配置され、圧縮機４及び室外熱交換器２を支持する矩形状部材である。底面パネル１Ｅの周縁には、鉛直に立設する周縁部１Ｅ１が形成されている。すなわち、周縁部１Ｅ１は、底面パネル１Ｅの周縁部に形成されたフランジ状の部分である。底面パネル１Ｅの上側には、室外熱交換器２、圧縮機４及び仕切板５などが配置されている。底面パネル１Ｅは、たとえば金属板などから構成される。また、底面パネル１Ｅの下面側には、室外機１００を載置するのに利用される脚部１Ｅ２が設けられている。
【００２７】
［室外機１００の筐体内の構成について］
図１Ｇは、本実施の形態１に係る室外機１００のバルブ取付板１Ｆ及びその周辺の斜視図である。図１Ｈは、本実施の形態１に係る室外機１００の天面パネル１Ａを外した状態で、室外機１００を上側から見た図である。図１Ｉは、本実施の形態１に係る室外機１００の前面パネル１Ｂ、第１の側面パネル１ＣＣ、第２の側面パネル１Ｃ及び天面パネル１Ａを外した状態の正面図である。図１Ｇ〜図１Ｉを参照して、圧縮機４の筐体内に設けられている仕切板５、圧縮機４及び室外熱交換器２などの構成について説明する。
【００２８】
室外機１００は、室外機１００内の空間を左側と右側に区画する仕切板５、冷媒を圧縮して吐出する圧縮機４、水平断面形状がＬ字状の室外熱交換器２、室外熱交換器２に外気を供給する送風機３、送風機３を保持するモーターサポート３Ａ、流路を切り替える四方弁８などが搭載されている。
また、室外機１００には、圧縮機４の回転数を制御する制御装置６Ａ（図１Ａ（ａ）参照）などが設けられた電気品箱６と、室内機１５０側に第１の配線Ｌ１を介して接続されるとともに、制御装置６Ａに第２の配線Ｌ２を介して接続される端子台９０とが搭載されている。
さらに、室外機１００は、冷媒配管Ｐが接続されるバルブ７と、バルブ７が取り付けられるバルブ取付板１Ｆとを備えている。バルブ取付板１Ｆには、端子台９０が設置されている。
【００２９】
（仕切板５）
仕切板５は、圧縮機４、バルブ７及び電気品箱６などが配置される側と、室外熱交換器２、送風機３及びモーターサポート３Ａなどが配置される側とを仕切るように配置されている。すなわち、仕切板５は、圧縮機４、バルブ７及び電気品箱６などが設けられる機械室Ｒ１と、室外熱交換器２、送風機３、及びモーターサポート３Ａなどが設けられる送風機室Ｒ２とを区画するものである。仕切板５は、たとえば、底面パネル１Ｅ上に配置される。そして、仕切板５は、たとえば、前端部が前面パネル１Ｂに配置され、後端部が室外熱交換器２の端部に固定される。また、仕切板５には、機械室Ｒ１側の面に、バルブ取付板１Ｆの一端側が固定されている。つまり、バルブ取付板１Ｆは、仕切板５に固定されて、圧縮機４の上部で支持されている。
【００３０】
（圧縮機４）
圧縮機４は、冷媒を吸入し、その冷媒を圧縮して高温・高圧の状態にして吐出するものである。圧縮機４は、冷媒の流れを切り替えて冷房運転及び暖房運転を切り替える四方弁８に配管を介して接続されている。圧縮機４は、室外機１００の筐体内に収容されている。圧縮機４の周囲には、仕切板５、前面パネル１Ｂ及び第２の側面パネル１Ｃなどが配置されている。たとえば、圧縮機４の左側方側には仕切板５が配置され、圧縮機４の右側方側には第２の側面パネル１Ｃの側面部１Ｃ１が配置され、圧縮機４の背面側には、第２の側面パネル１Ｃの背面部１Ｃ２が配置されている。
【００３１】
圧縮機４の上部には、各種制御などに利用される電気品箱６が設けられている。また、圧縮機４の上部であって電気品箱６の上部には、バルブ取付板１Ｆが配置されている。なお、圧縮機４は、底面パネル１Ｅ上に直接載置されている必要はなく、底面パネル１Ｅに設けた設置台の上に載置されていてもよい。
【００３２】
（室外熱交換器２、送風機３及びモーターサポート３Ａ）
室外熱交換器２は、送風機３によって室外機１００に取り込まれる空気と冷媒との間で熱交換を行わせ、冷房運転時に冷媒を凝縮液化させ、暖房運転時に冷媒を蒸発ガス化させるものである。室外熱交換器２は、たとえば、底面パネル１Ｅ上に設けられている。なお、室外熱交換器２は、底面パネル１Ｅ上に直接載置されている必要はなく、底面パネル１Ｅに設けた設置台の上に載置されていてもよい。室外熱交換器２の上部には、モーターサポート３Ａが掛けられるようにして設けられている。室外熱交換器２は、たとえば伝熱管を流れる冷媒とフィンを通過する空気との間で熱交換ができるようなフィンアンドチューブ熱交換器で構成される。
室外熱交換器２は、第１の側面パネル１ＣＣから第２の側面パネル１Ｃに向かう方向に平行に延びる第１の熱交換部２Ａと、曲げられた第２の熱交換部２Ｂと、第１の側面パネル１ＣＣに対向するように設けられた第３の熱交換部２Ｃとを含むものである。第１の熱交換部２Ａと第２の熱交換部２Ｂとが接続されており、第２の熱交換部２Ｂと第３の熱交換部２Ｃとが接続されている（図１Ｈ参照）。室外熱交換器２の第２の側面パネル１Ｃ側の端部には、たとえば、各種配管及び伝熱管に冷媒を分配するヘッダーなどの冷媒流通部材（図示省略）が配置される。なお、第３の熱交換部２Ｃには、伝熱管が半円状に曲げられたヘアピン２Ｃ１が設けられている。
室外熱交換器２、送風機３及びモーターサポート３Ａは、室外機１００の筐体内に収容されている。
【００３３】
（四方弁８）
四方弁８は、暖房運転時には凝縮器として機能する室内熱交換器１５１と圧縮機４の吐出側とを接続するとともに、蒸発器として機能する室外熱交換器２と圧縮機４の吸入側とを接続するように切り替えられる。また、四方弁８は、冷房運転時には凝縮器として機能する室外熱交換器２と圧縮機４の吐出側とを接続するとともに、蒸発器として機能する室内熱交換器１５１と圧縮機４の吸入側とを接続するように切り替えられる。四方弁８は、制御装置６Ａによって制御される。
四方弁８は、水平方向に平行な奥行き方向において、圧縮機４と第２の側面パネル１Ｃの背面部１Ｃ２との間に配置されている。また、四方弁８は、上下方向において、圧縮機４よりも上側であって、バルブ取付板１Ｆよりも下側に配置されている。
【００３４】
（電気品箱６）
電気品箱６は、制御装置６Ａ（図１Ａ（ａ）参照）などが搭載されている箱体である。すなわち、電気品箱６は、水、埃などで制御装置６Ａが故障してしまうことがないように、制御装置６Ａを保護している。電気品箱６は、仕切板５のうちの機械室Ｒ１側の面に取り付けられている。電気品箱６は、バルブ取付板１Ｆの下側に配置されている。電気品箱６を仕切板５に取り付ける手段としては、ネジなどを利用してもよいし、ツメなどの嵌合構造を利用してもよいし、接着剤などを利用することもできる。
電気品箱６内の制御装置６Ａは、第２の配線Ｌ２を介して端子台９０に接続されている。
【００３５】
（端子台９０）
端子台９０は、バルブ取付板１Ｆ上に設置されているものである。端子台９０をバルブ取付板１Ｆに固定する手段としては、特に限定されるものではないが、たとえばネジなどを利用してもよいし、ツメなどの嵌合構造を利用してもよいし、接着剤などを利用することもできる。ここで、第１の配線Ｌ１の先端には、たとえば、端子台９０に取り付ける端子（図示省略）が設けられている。端子台９０には、第１の配線Ｌ１の端子が取り付けられ、第１の配線Ｌ１と第２の配線Ｌ２との電気的導通が図られる。
【００３６】
（バルブ７）
バルブ７は、バルブ取付板１Ｆに取り付けられているものである。バルブ７は、バルブ７Ａ及びバルブ７Ｂから構成されている。バルブ７には、冷媒配管Ｐが接続されている。バルブ７は、バルブ取付板１Ｆの上面と天面パネル１Ａの下面との間に形成される閉空間に配置されている。このため、仮に、室外機１００の筐体の内外を接続する冷媒配管Ｐの外側に巻かれる断熱カバーに引火しても、炎が機械室Ｒ１内へ延焼してしまうことを防ぐことができる。つまり、炎の延焼がバルブ取付板１Ｆによって妨げられ、炎が圧縮機４及び室外熱交換器２などに及ぶことを回避することができるようになっている。
【００３７】
［バルブ取付板１Ｆ及びバルブ７について］
図１Ｊは、本実施の形態１に係る室外機１００のバルブ取付板１Ｆの斜視図である。図１Ｋは、本実施の形態１に係る室外機１００のバルブ取付板１Ｆの説明図である。なお、図１Ｋ（ａ）はバルブ取付板１Ｆの上面視図である。また、図１Ｋ（ｂ）は図１Ｋ（ａ）の矢印ＡＲ１側からバルブ取付板１Ｆを見た図であり、図１Ｋ（ｃ）は図１Ｋ（ａ）の矢印ＡＲ２側からバルブ取付板１Ｆを見た図である。
【００３８】
バルブ取付板１Ｆは、矩形状の板本体１Ｆ１と、第１の配線Ｌ１を板本体１Ｆ１の上面に固定する固定部材１Ｆ２と、端子台９０が設置される端子台支持部１Ｆ３と、端子台支持部１Ｆ３が形成された部分に形成された開口部１Ｆ４と、仕切板５に固定されるフランジ部１Ｆ５とを含むものである。ここで、端子台支持部１Ｆ３及び開口部１Ｆ４が取付部に対応する構成である。本実施の形態１では、取付部が端子台支持部１Ｆ３及び開口部１Ｆ４から構成されている。
【００３９】
板本体１Ｆ１は、本実施の形態では一例として矩形状のものを示している。板本体１Ｆ１には、バルブ７Ａ及びバルブ７Ｂがそれぞれ取り付けられるバルブ取付部７ＡＡ及びバルブ取付部７ＢＢが設けられている。板本体１Ｆ１には、固定部材１Ｆ２が、たとえばネジなどで固定される。また、板本体１Ｆ１には、バルブ取付部７ＡＡ及びバルブ取付部７ＢＢ側から固定部材１Ｆ２側へ向かう方向の延長上に開口部１Ｆ４が形成されている。また、板本体１Ｆ１には、開口部１Ｆ４の形成位置に、下方に傾斜する傾斜面を有する端子台支持部１Ｆ３が形成されている。さらに、板本体１Ｆ１には、仕切板５側の端部に、上側に曲げ形成されて構成されたフランジ部１Ｆ５が形成されている。
【００４０】
固定部材１Ｆ２は、ケーブルクランプなどに対応するものである。固定部材１Ｆ２は、第１の配線Ｌ１を板本体１Ｆ１上に固定した状態で、ネジなどで板本体１Ｆ１に固定される。固定部材１Ｆ２は、バルブ７Ａ及びバルブ７Ｂが取り付けられたバルブ取付部７ＡＡ及びバルブ取付部７ＢＢと、開口部１Ｆ４との間に設けられている。
【００４１】
端子台支持部１Ｆ３は、一端側が開口部１Ｆ４の周縁に接続され、一端側から他端側にかけて下側に傾斜する傾斜面を有する板状部材である。端子台支持部１Ｆ３には、端子台９０が設けられているものである。端子台支持部１Ｆ３は、開口部１Ｆ４の周縁のうちバルブ７側の周縁に接続されている。すなわち、本実施の形態１では、開口部１Ｆ４は矩形状であるが、その４辺のうち、バルブ７側に位置する１辺に端子台支持部１Ｆ３が接続されているということである。これにより、室外機１００の筐体内の第１の配線Ｌ１を、直線状に引き回して端子台９０に接続することができる。たとえば、開口部１Ｆ４の周縁のうち仕切板５側の周縁に端子台支持部１Ｆ３が接続されていると、第１の配線Ｌ１をコの字状に沿わせて端子台９０に接続する必要がある。このように、本実施の形態１に係る室外機１００では、このような第１の配線Ｌ１の引き回しが煩雑化することを回避することができる。
【００４２】
開口部１Ｆ４は、圧縮機４などが設置される空間であってバルブ取付板１Ｆの下側の空間である機械室Ｒ１側と、バルブ取付板１Ｆの上側の空間とを連通するように形成されたものである。本実施の形態１では、矩形状の開口部の例を一例として示している。開口部１Ｆ４は、第１の配線Ｌ１が通過している。
【００４３】
フランジ部１Ｆ５は、仕切板５側の端部に、上側に曲げ形成されて構成されたものである。フランジ部１Ｆ５は、たとえばネジなどで仕切板５に締結される。これにより、バルブ取付板１Ｆが圧縮機４の上部で支持される。
【００４４】
［第２の側面パネル１Ｃについて］
図１Ｌは、本実施の形態１に係る室外機１００の第２の側面パネル１Ｃの斜視図である。  図１Ｌを参照して第２の側面パネル１Ｃの構成について説明する。周面パネルに対応する第２の側面パネル１Ｃは、仕切板５を境にして圧縮機４が設けられている側に配置され、上端部に天面パネル１Ａが取り付けられたものである。
第２の側面パネル１Ｃは、底面パネル１Ｅの周縁部１Ｅ１のうち、圧縮機４の右側方側に位置する周縁部１Ｅ１上に配置された側面部１Ｃ１と、底面パネル１Ｅの周縁部１Ｅ１のうち圧縮機４の背面側に位置する周縁部１Ｅ１上に配置された背面部１Ｃ２とを含む。背面部１Ｃ２は、バルブ取付板１Ｆの上側の高さ位置に形成され、室外機１００の筐体内の冷媒配管Ｐを筐体外に引き出す切欠部１Ｃ３を含む。室外機１００は、第２の側面パネル１Ｃに切欠部１Ｃ３が形成されていることにより、バルブ７と室内機１５０とを接続する冷媒配管Ｐを、室外機１００の筐体内から引出すことができるようになっている。
【００４５】
［本実施の形態１に係る室外機１００の有する効果］
本実施の形態１に係る室外機１００は、圧縮機４の上部に設けられたバルブ取付板１Ｆに端子台９０が設けられているので、室外機１００の筐体内の限られた空間を有効活用することができる。具体的には、機械室Ｒ１の上部の空間は、デッドスペースになっているが、バルブ取付板１Ｆは、機械室Ｒ１の上部の空間に位置する端子台支持部１Ｆ３を備えている。このため、本実施の形態１に係る室外機１００は、このデッドスペースに端子台９０を配置することができ、室外機１００の筐体内の限られた空間を有効活用することができる。
【００４６】
本実施の形態１に係る室外機１００は、配線の引き回しが容易となっており、室外機１００の筐体内の構造が煩雑になることを抑制することができる。第２の配線Ｌ２をバルブ取付板１Ｆの下側から上側に引き回す手段としては、仮に開口部１Ｆ４が形成されていない場合には、たとえば、バルブ取付板１Ｆの端と室外機１００の筐体との間に形成される隙間に第２の配線Ｌ２を挿入する手段が考えられる。しかし、この手段では、第２の配線Ｌ２をバルブ取付板１Ｆの端まで引き回す必要があり、配線の引き回しが煩雑になる。本実施の形態１に係る室外機１００は、このような煩雑化を抑制することができる。
【００４７】
本実施の形態１に係る室外機１００は、取付部の一部に対応する端子台支持部１Ｆ３に斜面が形成された板状部材である態様について説明したが、それに限定されるものではない。たとえば、端子台支持部１Ｆ３は、開口部１Ｆ４の周縁に接続され、上下方向に平行な垂直部と、垂直部に直交するように接続され、端子台９０が設置される水平部とを含む態様であってもよい。このように、端子台支持部１Ｆ３は、段状に構成されていても、本実施の形態１に係る室外機１００と同様の効果を得ることができる。
【００４８】
本実施の形態１に係る室外機１００は、取付部が端子台支持部１Ｆ３を備えているものとして説明したが、それに限定されるものではない。たとえば、板本体１Ｆ１の下面部分であって開口部１Ｆ４の形成位置の周縁部分に、端子台９０が取り付けられていてもよい。このように、端子台支持部１Ｆ３の機能を、板本体１Ｆ１に持たせる態様であっても、本実施の形態１に係る室外機１００と同様の効果を得ることができる。
【００４９】
実施の形態２．
図２Ａは、本実施の形態２に係る室外機１００の天面パネル１Ａを外した状態で、室外機１００を上側から見た図である。図２Ｂは、本実施の形態２に係る室外機１００の内部構造などを室外機１００の側面側から見た図である。図２Ｃは、本実施の形態２に係る室外機１００を分解した状態の斜視図である。本実施の形態２では、実施の形態１との相違する部分を中心に説明するものとし，実施の形態１と共通する構成については同一符号を付している。
本実施の形態２では、実施の形態１で説明したバルブ取付板１Ｆについてだけ変更がある。図２Ａ〜図２Ｃに示す圧縮機４及び仕切板５などの各種構成については、実施の形態１とは変更はない。
【００５０】
［バルブ取付板１ＦＦ］
図２Ｄは、本実施の形態２に係る室外機１００のバルブ取付板１ＦＦ及びその周辺の正面斜視図である。図２Ｅは、本実施の形態２に係る室外機１００のバルブ取付板１ＦＦ及びその周辺の背面斜視図である。図２Ｆは、本実施の形態２に係る室外機１００のバルブ取付板１ＦＦの斜視図である。図２Ｇは、本実施の形態２に係る室外機のバルブ取付板１ＦＦの説明図である。なお、図２Ｇ（ａ）はバルブ取付板１ＦＦの上面視図である。また、図２Ｇ（ｂ）は図２Ｇ（ａ）の矢印ＡＲ１側からバルブ取付板１ＦＦを見た図であり、図２Ｇ（ｃ）は図２Ｇ（ａ）の矢印ＡＲ２側からバルブ取付板１ＦＦを見た図である。
バルブ取付板１ＦＦは、取付部に対応する開口部１Ｆ４の形成面Ｆ１よりも、バルブ７の取付面Ｆ２の方が低くなるように形成された段差部１Ｆ６を含むものである。ここで、板本体１Ｆ１は、形成面Ｆ１及び取付面Ｆ２を含む。
【００５１】
段差部１Ｆ６は、仕切板５側から第２の側面パネル１Ｃの側面部１Ｃ１まで延びるように形成されている。なお、形成面Ｆ１には、固定部材１Ｆ２が設けられている。つまり、段差部１Ｆ６を境にして一方側に端子台支持部１Ｆ３、開口部１Ｆ４及び固定部材１Ｆ２が位置し、他方側にバルブ７が位置している。このように、バルブ取付板１ＦＦは、段差部１Ｆ６が形成されているため、冷媒の冷熱で冷えたバルブ７及びバルブ７の周囲（たとえば、板本体１Ｆ１の上面）で発生した結露水が、開口部１Ｆ４に流れこんでしまうことを回避することができる。これにより、開口部１Ｆ４の下側に位置する電気品箱６に水が浸入してしまうことをより確実に抑制することができる。
【００５２】
［本実施の形態２に係る室外機１００の有する効果］
本実施の形態２に係る室外機１００は、実施の形態１に係る室外機１００の有する効果に加えて次の効果を有する。
すなわち、本実施の形態２に係る室外機１００は、バルブ取付板１ＦＦに段差部１Ｆ６が形成されているので、バルブ７などで発生した結露水が開口部１Ｆ４に流れ込んでしまうことを回避することができ、電気品箱６に水が浸入してしまうことをより確実に抑制することができる。
【符号の説明】
【００５３】
１Ａ  天面パネル、１Ｂ  前面パネル、１Ｂ１  開口部、１Ｂ２  ファングリル、１Ｃ  第２の側面パネル、１Ｃ１  側面部、１Ｃ２  背面部、１Ｃ３  切欠部、１ＣＣ  第１の側面パネル、１Ｄ  カバー、１Ｅ  底面パネル、１Ｅ１  周縁部、１Ｅ２  脚部、１Ｆ  バルブ取付板、１Ｆ１  板本体、１Ｆ２  固定部材、１Ｆ３  端子台支持部、１Ｆ４  開口部、１Ｆ５  フランジ部、１Ｆ６  段差部、１ＦＦ  バルブ取付板、２  室外熱交換器、２Ａ  第１の熱交換部、２Ｂ  第２の熱交換部、２Ｃ  第３の熱交換部、２Ｃ１  ヘアピン、３  送風機、３Ａ  モーターサポート、４  圧縮機、５  仕切板、６  電気品箱、６Ａ  制御装置、７  バルブ、７Ａ  バルブ、７ＡＡ  バルブ取付部、７Ｂ  バルブ、７ＢＢ  バルブ取付部、８  四方弁、９  絞り装置、９０  端子台、１００  室外機、１５０  室内機、１５１  室内熱交換器、１５２  送風機、２００  空気調和装置、Ｆ１  形成面、Ｆ２  取付面、Ｌ１  第１の配線、Ｌ２  第２の配線、Ｐ  冷媒配管、Ｒ１  機械室、Ｒ２  送風機室。
【図１Ａ】
2016132456.tif 000003
【図１Ｂ】
2016132456.tif 000004
【図１Ｃ】
2016132456.tif 000005
【図１Ｄ】
2016132456.tif 000006
【図１Ｅ】
2016132456.tif 000007
【図１Ｆ】
2016132456.tif 000008
【図１Ｇ】
2016132456.tif 000009
【図１Ｈ】
2016132456.tif 000010
【図１Ｉ】
2016132456.tif 000011
【図１Ｊ】
2016132456.tif 000012
【図１Ｋ】
2016132456.tif 000013
【図１Ｌ】
2016132456.tif 000014
【図２Ａ】
2016132456.tif 000015
【図２Ｂ】
2016132456.tif 000016
【図２Ｃ】
2016132456.tif 000017
【図２Ｄ】
2016132456.tif 000018
【図２Ｅ】
2016132456.tif 000019
【図２Ｆ】
2016132456.tif 000020
【図２Ｇ】
2016132456.tif 000021
【国際調査報告】
2016132456.tif 000022
2016132456.tif 000023